(57)【要約】【課題】ＧＰＳ衛星からの測位情報を受信して、広く普及している携帯電話機を介して自分の位置を知らせる緊急通報を行う。【解決手段】携帯電話機の拡張端子に接続されるインターフェース部と、ＧＰＳ衛星からの測位情報を受信するＧＰＳ受信部と、上記インターフェース部を介して携帯電話機の拡張端子に接続されたことを検出し、ＧＰＳ受信部により測位情報を取得し、取得した測位情報を上記携帯電話機を介して基地局に自動送信する制御を制御部により行う。【選択図】        図１
2005027190.tif 000002
【特許請求の範囲】
【請求項１】
携帯電話機の拡張端子に接続されるインターフェース部と、
ＧＰＳ（Ｇｌｏｂａｌ  Ｐｏｓｉｔｉｏｎｉｎｇ  Ｓｙｓｔｅｍ）衛星からの測位情報を受信するＧＰＳ受信部と、
上記インターフェース部を介して携帯電話機の拡張端子に接続されたことを検出し、上記ＧＰＳ受信部により測位情報を取得し、取得した測位情報に基づいて現在位置を示す緊急通信情報を上記携帯電話機を介して基地局に自動送信する制御を行う制御部と
を備えることを特徴とする緊急通報装置。
【請求項２】
上記制御部により制御され、測位情報の取得中、通信中、通信完了の３状態で表示形態が変化する表示部を備えることを特徴とする請求項１記載の緊急通報装置。
【請求項３】
上記測位情報の自動送信完了後に電源が遮断されることを特徴とする請求項２記載の緊急通報装置。
【請求項４】
上記インターフェース部を介して携帯電話機の拡張端子から供給される電源により動作することを特徴とする請求項３記載の緊急通報装置。
【請求項５】
内部電源として電池を内蔵することを特徴とする請求項３記載の緊急通報装置。
【発明の詳細な説明】
【０００１】
【発明の属する技術分野】
本発明は、携帯電話機を介して緊急通報を行う緊急通報装置に関する。
【０００２】
【従来の技術】
従来より、ＧＰＳ（Ｇｌｏｂａｌ  Ｐｏｓｉｔｉｏｎｉｎｇ  Ｓｙｓｔｅｍ）衛星からの測位情報を受信するＧＰＳ受信機を利用した各種遭難救助システムが提案されている。しかし、従来の遭難救助システムでは、船舶や航空機に搭載されているＧＰＳ受信機を対象とするものであり、何時遭難事故の発生があっても対処し得るように、発電機からＧＰＳ受信機に電源が常に供給されていた（例えば、特許文献１参照）。
【０００３】
【特許文献１】
特開平１１−２６３２９２号公報
【０００４】
【発明が解決しようとする課題】
ところで、例えば船舶等に搭載されたＧＰＳ受信機は、エンジンの停止により発電機も停止してしまうと、電源が供給されなくなってしまうことにより使用不能となり、緊急時に対応することができないという問題点がある。
【０００５】
また、携帯電話機の普及に伴い、そのサービスエリアが広範囲になっている。携帯電話による通話が可能であったとしても、海上では目印や標識がないので、第３者に、自分の位置を知らせるのが困難な場合が多い。
【０００６】
さらに、ＧＰＳ受信機能を有する携帯電話機も市販されているが、ランニングコストがかかる。
【０００７】
本発明の目的は、このような従来の実情に鑑み、緊急時に、ＧＰＳ衛星からの測位情報を受信して、広く普及している携帯電話機を介して自分の位置を知らせる緊急通報を行う緊急通報装置を提供することにある。
【０００８】
また、本発明の他の目的は、使用者が、緊急時に自動的に行われる測位情報の取得、送信、送信完了の処理状態を視覚的に認識できる緊急通報装置を提供することにある。
【０００９】
本発明の更に他の目的、本発明によって得られる具体的な利点は、以下に説明される実施の形態の説明から一層明らかにされる。
【００１０】
【課題を解決するための手段】
本発明に係る緊急通報装置は、携帯電話機の拡張端子に接続されるインターフェース部と、ＧＰＳ衛星からの測位情報を受信するＧＰＳ受信部と、上記インターフェース部を介して携帯電話機の拡張端子に接続されたことを検出し、上記ＧＰＳ受信部により測位情報を取得し、取得した測位情報に基づいて現在位置を示す緊急通信情報を上記携帯電話機を介して基地局に自動送信する制御を行う制御部とを備えることを特徴とする。
【００１１】
【発明の実施の形態】
以下、本発明の実施の形態について図面を参照して詳細に説明する。
【００１２】
本発明は、例えば図１に示すような構成の遭難救助システム１００に適用される。
【００１３】
この遭難救助システム１００は、ＧＰＳ衛星１０からの測位情報を受信する緊急通報装置２０を装着した携帯電話機３０と、この携帯電話機３０からの緊急通信情報を受信する基地局４０からなる。この遭難救助システム１００において、本発明に係る緊急通報装置２０は、携帯電話機３０に装着されることにより、ＧＰＳ衛星１０からの測位情報を受信し、受信した測位情報に基づいて現在位置を示す緊急通信情報を上記携帯電話機３０を介して基地局４０に送信する。
【００１４】
上記基地局４０の端末は、例えば図２に示すように、当該基地局４０に予め登録されているメンバーの氏名、携帯番号のリスト４１Ａがモニタ画面４１に表示されており、緊急通信情報を自動着信すると、緊急通信情報の着信があった旨を着信表示４１Ｂ及び緊急通信情報の内容表示４１Ｃを行うとともに警報を発する。
【００１５】
この遭難救助システム１００で使用される緊急通報装置２０は、携帯電話機３０にアダプタ装置として装着されるもので、その構成例を図３に示すように、携帯電話機３０の拡張端子３１に接続されるインターフェース部２１を備え、このインターフェース部２１に接続された制御部２２、この制御部２２に接続されたＧＰＳ受信部２３や記憶部２４、表示部２５などからなる。
【００１６】
上記インターフェース部２１は、各社から販売されている各種携帯電話機の拡張端子に対応する構造とすることができる。
【００１７】
上記ＧＰＳ受信部２３は、ＧＰＳ衛星１０からの測位情報を受信するものであって、図示しないアンテナを含む。
【００１８】
上記制御部２２は、上記インターフェース部２１を介して携帯電話機３０の拡張端子３１に接続されたことを検出すると、上記ＧＰＳ衛星１０からの測位情報を上記ＧＰＳ受信部２３により受信し、受信した測位情報に基づいて、現在の位置（緯度、経度）、移動方向及び移動速度を求めて緊急通信情報として記憶部２４に書き込み、その後、上記記憶部２４から緊急通信情報を読み出して上記携帯電話機３０を介して基地局４０に自動送信する制御を行う。
【００１９】
また、上記制御部２２は、緊急通信情報を自動送信するための制御を行うと同時に、表示部２５の表示形態を測位情報の取得中、通信中、通信完了の３状態で変化させる制御を行う。
【００２０】
上記表示部２５は、例えば２色発光ダイオードからなり、点灯させる発光ダイオードの色を切り換えたり、点滅状態を変化させる等により、３種類の表示状態に変化させることができる。例えば、測位情報の取得中は赤色点灯状態とし、通信中は赤色点滅状態に切り換え、さらに、通信を完了すると青色点灯状態に切り換える。
【００２１】
さらに、上記制御部２２は、電源消費を最小限に抑えるために、上記緊急通信情報の自動送信完了後に電源を遮断する。
【００２２】
この緊急通報装置２０は、内部電源２６としてボタン型電池を内蔵しており、内部電源２６により動作するが、内部電源２６を持たずに、上記インターフェース部２１を介して携帯電話機３０の拡張端子３１から供給される電源により動作するようにする構造とすることもできる。
【００２３】
このような構成の緊急通報装置２０では、図４に示すように、緊急時に、インターフェース部２１を介して携帯電話機３０の拡張端子３１に接続するだけで、ＧＰＳ衛星１０からの測位情報を受信して、上記携帯電話機３０を介して自分の位置を知らせる緊急通報を行うことができ、また、自動的に行われる測位情報の取得、送信、送信完了の処理状態を使用者に視覚的に認識させることができる。
【００２４】
【発明の効果】
以上のように、本発明に係る緊急通報装置では、インターフェース部を介して携帯電話機の拡張端子に接続されたことを検出して、ＧＰＳ受信部により測位情報を取得し、取得した測位情報を上記携帯電話機を介して基地局に自動送信するので、緊急時にインターフェース部を介して携帯電話機の拡張端子に接続するだけで、ＧＰＳ衛星からの測位情報を受信して、上記携帯電話機を介して自分の位置を知らせる緊急通報を行うことができる。
【００２５】
また、本発明に係る緊急通報装置は、制御部により制御され、測位情報の取得中、送信中、送信完了の３状態で表示形態が変化する表示部を備えることにより、使用者が、緊急時に自動的に行われる測位情報の取得、送信、送信完了の処理状態を使用者に視覚的に認識させることができる。
【００２６】
また、本発明に係る緊急通報装置は、上記測位情報の自動送信完了後に電源が遮断されることにより、電源の消費を最小限に抑えることができる。
【００２７】
本発明に係る緊急通報装置は、上記インターフェース部を介して携帯電話機の拡張端子から供給される電源により動作させることができる。
【図面の簡単な説明】
【図１】本発明を適用した遭難救助システムの構成を示すブロック図である。
【図２】上記遭難救助システムにおける基地局の端末による緊急通信情報の受信画面を模式的に示す図である。
【図３】上記遭難救助システムで使用される緊急通報装置の構成例を示すブロック図である。
【図４】上記緊急通報装置を携帯電話機に装着する状態を模式的に示す図である。
【符号の説明】
１０  ＧＰＳ衛星、２０  緊急通報装置、２１  インターフェース部、２２  制御部、２３  ＧＰＳ受信部、２４  記憶部、２５  表示部、２６  内部電源、３０  携帯電話機、３１  拡張端子、４０  基地局、１００  遭難救助システム
【図１】
2005027190.tif 000003
【図２】
2005027190.tif 000004
【図３】
2005027190.tif 000005
【図４】
2005027190.tif 000006